(57)【特許請求の範囲】
【請求項１】
各々が、屈折力を有するとともに、物体側に向いた物体側の面と、像側に向いた像側の面とを有する、第１のレンズ素子と、第２のレンズ素子と、第３のレンズ素子と、第４のレンズ素子と、第５のレンズ素子とを光軸に沿って物体側から像側へ当該順に配置して備える撮像レンズであって、
当該撮像レンズの屈折力は、前記第１乃至第５のレンズ素子のみの屈折力から構成され、
前記第１のレンズ素子は、正の屈折力を有し、
前記第２のレンズ素子は、負の屈折力を有するとともに、前記光軸近傍に凸部をなし且つ周縁部近傍に凹部をなす前記物体側の面を有し、
前記第３のレンズ素子は、正の屈折力を有するとともに、周縁部近傍に凹部をなす前記物体側の面と、前記光軸近傍に凸部をなす前記像側の面とを有し、
前記第４のレンズ素子は、前記光軸近傍に凹部をなす前記物体側の面と、前記光軸近傍に凸部をなす前記像側の面とを有し、
前記第５のレンズ素子は、前記光軸近傍に凸部をなす前記物体側の面と、前記光軸近傍に凹部をなし且つ周縁部近傍に凸部をなす前記像側の面とを有し、
前記第５のレンズ素子は、プラスチック材料で構成され、
前記第１のレンズ素子の前記光軸に沿った厚さを示すＴ１と、前記第３のレンズ素子の前記光軸に沿った厚さを示すＴ３と、前記第３のレンズ素子と前記第４のレンズ素子との間の前記光軸に沿った空隙長を示すＧ３４と、前記第２のレンズ素子と前記第３のレンズ素子との間の前記光軸に沿った空隙長を示すＧ２３とは、
Ｔ１／Ｔ３≧０．９３、且つ、０．９０≦Ｇ３４／Ｇ２３≦２．４０
を満たすとともに、
前記Ｔ３と、前記第４のレンズ素子の前記光軸に沿った厚さを示すＴ４と、前記第１のレンズ素子と前記第２のレンズ素子との間の前記光軸に沿った空隙長を示すＧ１２と、前記第４のレンズ素子と前記第５のレンズ素子との間の前記光軸に沿った空隙長を示すＧ４５とは、
（Ｔ３＋Ｔ４）／（Ｇ１２＋Ｇ４５）≧３．００
を満たしていることを特徴とする撮像レンズ。
【請求項２】
前記第１乃至第５のレンズ素子の前記光軸に沿った厚さの総和を示すＡＬＴと、前記Ｔ３とは、
ＡＬＴ／Ｔ３≦７．００
を満たしていることを特徴とする請求項１に記載の撮像レンズ。
【請求項３】
前記第５のレンズ素子の前記像側の面と像面との間の前記光軸に沿った距離を示すＢＦＬと、前記Ｔ１とは、
ＢＦＬ／Ｔ１≦３．２０
を満たしていることを特徴とする請求項２に記載の撮像レンズ。
【請求項４】
前記ＢＦＬと、前記Ｇ１２と、前記Ｇ２３とは、
ＢＦＬ／（Ｇ１２＋Ｇ２３）≧３．４０
を満たしていることを特徴とする請求項３に記載の撮像レンズ。
【請求項５】
前記Ｔ４と、前記第５のレンズ素子の前記光軸に沿った厚さを示すＴ５と、前記Ｇ３４とは、
（Ｔ４＋Ｔ５）／Ｇ３４≧３．２５
を満たしていることを特徴とする請求項２に記載の撮像レンズ。
【請求項６】
前記Ｔ１と、前記Ｔ５と、前記Ｇ３４とは、
（Ｔ１＋Ｔ５）／Ｇ３４≧３．７０
を満たしていることを特徴とする請求項５に記載の撮像レンズ。
【請求項７】
前記第１乃至第５のレンズ素子の前記光軸に沿った厚さの総和を示すＡＬＴと、前記Ｇ３４とは、
ＡＬＴ／Ｇ３４≧７．００
を満たしていることを特徴とする請求項１に記載の撮像レンズ。
【請求項８】
前記Ｔ３と、前記Ｔ４と、前記第２のレンズ素子の前記光軸に沿った厚さを示すＴ２とは、
（Ｔ３＋Ｔ４）／Ｔ２≧２．７５
を満たしていることを特徴とする請求項７に記載の撮像レンズ。
【請求項９】
前記Ｔ３と、前記第５のレンズ素子の前記光軸に沿った厚さを示すＴ５と、前記Ｇ３４とは、
（Ｔ３＋Ｔ５）／Ｇ３４≧３．８０
を満たしていることを特徴とする請求項８に記載の撮像レンズ。
【発明の詳細な説明】
【技術分野】
【０００１】
本発明は、撮像レンズならびにそれを備えた電子機器に関するものである。
【背景技術】
【０００２】
近年、携帯型電子機器（例えば、携帯電話機およびデジタルカメラ）の普及に伴って、携帯型電子機器の大きさを縮小することに多くの力が注がれている。また、電荷結合素子（ＣＣＤ）および相補型金属酸化膜半導体（ＣＭＯＳ）による光学センサの大きさが縮小されると、それに応じて、光学センサと共に用いる撮像レンズの寸法が、光学性能を著しく損なうことなく、縮小されなければならない。
【０００３】
撮像品質に対して高まりつつある要求を考えると、従来の４ピースレンズの構成によって、高まる要求に応えることは、もはやできない可能性がある。このため、寸法が縮小されるとともに撮像品質に優れた光学撮像レンズを開発することが求められている。
【０００４】
特許文献１は、５つのレンズ素子を有する従来の撮像レンズを開示しており、それは系の長さが９ｍｍを超えるものであって、これは、携帯電話機およびデジタルカメラなどの携帯型電子機器の厚さを縮小するためには好ましくない。
【先行技術文献】
【特許文献】
【０００５】
【特許文献１】台湾特許出願公開第２０１２／３５６９４号
【発明の概要】
【発明が解決しようとする課題】
【０００６】
十分な光学性能を維持しつつ、撮像レンズの系の長さを縮小することは、常に当業界の目標である。
【課題を解決するための手段】
【０００７】
そこで、本発明の目的は、良好な光学性能を維持しつつ、全長を短縮した撮像レンズを提供することである。
【０００８】
本発明の一態様によれば、撮像レンズは、該撮像レンズの光軸に沿って物体側から像側へ順に配置される、第１のレンズ素子と、第２のレンズ素子と、第３のレンズ素子と、第４のレンズ素子と、第５のレンズ素子と、を備える。第１のレンズ素子、第２のレンズ素子、第３のレンズ素子、第４のレンズ素子、第５のレンズ素子の各々は、屈折力を有するとともに、物体側に向いた物体側の面と、像側に向いた像側の面とを有する。
【０００９】
第１のレンズ素子は、正の屈折力を有する。第２のレンズ素子の物体側の面は、光軸近傍に凸部を有するとともに、該第２のレンズ素子の周縁部近傍に凹部を有する。第３のレンズ素子の物体側の面は、該第３のレンズ素子の周縁部近傍に凹部を有する。第４のレンズ素子の物体側の面は、光軸近傍に凹部を有し、第４のレンズ素子の像側の面は、光軸近傍に凸部を有する。第５のレンズ素子の物体側の面は、光軸近傍に凸部を有する。第５のレンズ素子の像側の面は、光軸近傍に凹部を有するとともに、該第５のレンズ素子の周縁部近傍に凸部を有する。第５のレンズ素子はプラスチック材料で構成されている。
【００１０】
Ｔ１は第１のレンズ素子の光軸における厚さを表し、Ｔ３は第３のレンズ素子の光軸における厚さを表し、Ｇ３４は第３のレンズ素子と第４のレンズ素子との間の光軸における空隙長を表し、Ｇ２３は第２のレンズ素子と第３のレンズ素子との間の光軸における空隙長を表すとして、撮像レンズは、Ｔ１／Ｔ３≧０．９３かつ０．９０≦Ｇ３４／Ｇ２３≦２．４０を満たしている。
【００１１】
撮像レンズは、第１のレンズ素子、第２のレンズ素子、第３のレンズ素子、第４のレンズ素子、第５のレンズ素子の他には、屈折力を有するレンズ素子を備えていない。
【００１２】
本発明の別の目的は、５つのレンズ素子を有する撮像レンズを備えた電子機器を提供することである。
【００１３】
本発明の別の態様によれば、電子機器は、ハウジングと撮像モジュールとを備える。撮像モジュールは、ハウジング内に配置されており、本発明の撮像レンズと、撮像レンズが配置される鏡筒と、鏡筒が配置されるホルダユニットと、撮像レンズの像側に配置される撮像センサと、を有する。
【００１４】
本発明の他の特徴ならびに効果は、添付の図面を参照した以下の好ましい実施形態の詳細な説明において明らかになるであろう。
【図面の簡単な説明】
【００１５】
【図１】レンズ素子の構造を示す模式図である。
【図２】本発明に係る撮像レンズの第１の好ましい実施形態を示す模式図である。
【図３】第１の好ましい実施形態の撮像レンズに対応するいくつかの光学パラメータの値を示している。
【図４】第１の好ましい実施形態の撮像レンズに対応する光学的関係のいくつかのパラメータの値を示している。
【図５】（ａ）〜（ｄ）は、第１の好ましい実施形態の撮像レンズの様々な光学特性を示している。
【図６】本発明に係る撮像レンズの第２の好ましい実施形態を示す模式図である。
【図７】第２の好ましい実施形態の撮像レンズに対応するいくつかの光学パラメータの値を示している。
【図８】第２の好ましい実施形態の撮像レンズに対応する光学的関係のいくつかのパラメータの値を示している。
【図９】（ａ）〜（ｄ）は、第２の好ましい実施形態の撮像レンズの様々な光学特性を示している。
【図１０】本発明に係る撮像レンズの第３の好ましい実施形態を示す模式図である。
【図１１】第３の好ましい実施形態の撮像レンズに対応するいくつかの光学パラメータの値を示している。
【図１２】第３の好ましい実施形態の撮像レンズに対応する光学的関係のいくつかのパラメータの値を示している。
【図１３】（ａ）〜（ｄ）は、第３の好ましい実施形態の撮像レンズの様々な光学特性を示している。
【図１４】本発明に係る撮像レンズの第４の好ましい実施形態を示す模式図である。
【図１５】第４の好ましい実施形態の撮像レンズに対応するいくつかの光学パラメータの値を示している。
【図１６】第４の好ましい実施形態の撮像レンズに対応する光学的関係のいくつかのパラメータの値を示している。
【図１７】（ａ）〜（ｄ）は、第４の好ましい実施形態の撮像レンズの様々な光学特性を示している。
【図１８】本発明に係る撮像レンズの第５の好ましい実施形態を示す模式図である。
【図１９】第５の好ましい実施形態の撮像レンズに対応するいくつかの光学パラメータの値を示している。
【図２０】第５の好ましい実施形態の撮像レンズに対応する光学的関係のいくつかのパラメータの値を示している。
【図２１】（ａ）〜（ｄ）は、第５の好ましい実施形態の撮像レンズの様々な光学特性を示している。
【図２２】本発明に係る撮像レンズの第６の好ましい実施形態を示す模式図である。
【図２３】第６の好ましい実施形態の撮像レンズに対応するいくつかの光学パラメータの値を示している。
【図２４】第６の好ましい実施形態の撮像レンズに対応する光学的関係のいくつかのパラメータの値を示している。
【図２５】（ａ）〜（ｄ）は、第６の好ましい実施形態の撮像レンズの様々な光学特性を示している。
【図２６】本発明に係る撮像レンズの第７の好ましい実施形態を示す模式図である。
【図２７】第７の好ましい実施形態の撮像レンズに対応するいくつかの光学パラメータの値を示している。
【図２８】第７の好ましい実施形態の撮像レンズに対応する光学的関係のいくつかのパラメータの値を示している。
【図２９】（ａ）〜（ｄ）は、第７の好ましい実施形態の撮像レンズの様々な光学特性を示している。
【図３０】本発明に係る撮像レンズの第８の好ましい実施形態を示す模式図である。
【図３１】第８の好ましい実施形態の撮像レンズに対応するいくつかの光学パラメータの値を示している。
【図３２】第８の好ましい実施形態の撮像レンズに対応する光学的関係のいくつかのパラメータの値を示している。
【図３３】（ａ）〜（ｄ）は、第８の好ましい実施形態の撮像レンズの様々な光学特性を示している。
【図３４】第１〜第８の好ましい実施形態の撮像レンズに対応する他の光学的関係のパラメータの値を示す表である。
【図３５】第１〜第８の好ましい実施形態の撮像レンズに対応する他の光学的関係のパラメータの値を示す表である。
【図３６】本発明の撮像レンズの第１の適用例を示す部分断面模式図である。
【図３７】本発明の撮像レンズの第２の適用例を示す部分断面模式図である。
【発明を実施するための形態】
【００１６】
本発明についてより詳細に説明するに当たり、留意されるべきことは、類似の要素は、本開示全体を通して同一の参照符号で示しているということである。
【００１７】
以下の説明において、「レンズ素子が、正（または負）の屈折力を有する」とは、レンズ素子が、その光軸近傍において正（または負）の屈折力を有することを意味する。
「物体側の面（または像側の面）が、特定の領域に凸部（または凹部）を有する」とは、その特定の領域に隣接する径方向外側の領域と比較して、その特定の領域が、光軸と平行な方向に、より多く隆起している（または、窪んでいる）ことを意味する。一例として図１を参照すると、レンズ素子は、その光軸（Ｉ）に関して径方向に対称である。レンズ素子の物体側の面は、領域Ａに凸部を有し、領域Ｂに凹部を有し、領域Ｃに凸部を有する。なぜなら、領域Ａは、その径方向外側の領域（すなわち、領域Ｂ）と比較して、光軸（Ｉ）に平行な方向に、より隆起しており、領域Ｂは領域Ｃと比較して、より窪んでおり、領域Ｃは領域Ｅと比較して、より隆起しているからである。
「周縁部近傍に」とは、専ら撮像光を通過させるためのレンズ素子の曲面における周縁に沿った領域を指し、それは図１における領域Ｃである。撮像光は、主光線Ｌｃと周辺光線Ｌｍとを含む。
「光軸近傍に」とは、専ら撮像光を通過させるための曲面における光軸周辺の領域を指し、それは図１における領域Ａである。また、レンズ素子は、さらに、光学撮像レンズ装置内への取り付け用の拡張部Ｅを有する。理想的には、撮像光は拡張部Ｅを通過しない。拡張部Ｅの構造および形状は、本明細書に記載のものに限定されない。以下の実施形態では、分かりやすくするため、拡張部Ｅは図示していない。
【００１８】
図２を参照する。本発明に係る撮像レンズ１０の第１の好ましい実施形態は、光軸（Ｉ）に沿って物体側から像側へ順に配置される、開口絞り２と、第１のレンズ素子３と、第２レンズ素子４と、第３のレンズ素子５と、第４のレンズ素子６と、第５のレンズ素子７と、光学フィルタ８と、を備える。光学フィルタ８は、赤外光を選択的に吸収するための赤外線カットフィルタであり、これによって、像面１００に形成される像の欠陥を軽減する。
【００１９】
第１、第２、第３、第４、第５のレンズ素子３〜７、および光学フィルタ８のそれぞれは、物体側に向いた物体側の面３１、４１、５１、６１、７１、８１と、像側に向いた像側の面３２、４２、５２、６２、７２、８２と、を有する。撮像レンズ１０に入射する光は、順に、開口絞り２、第１のレンズ素子３の物体側の面３１と像側の面３２、第２のレンズ素子４の物体側の面４１と像側の面４２、第３のレンズ素子５の物体側の面５１と像側の面５２、第４のレンズ素子６の物体側の面６１と像側の面６２、第５のレンズ素子７の物体側の面７１と像側の面７２、光学フィルタ８の物体側の面８１と像側の面８２を通って進み、像面１００に像を形成する。物体側の面３１、４１、５１、６１、７１および像側の面３２、４２、５２、６２、７２のそれぞれは、非球面であり、光軸（Ｉ）と一致する中心点を有する。
【００２０】
レンズ素子３〜７は、本実施形態ではプラスチック材料で構成されており、他の実施形態では、レンズ素子３〜６のうち少なくとも１つを他の材料で構成できる。また、レンズ素子３〜７のそれぞれは、屈折力を有する。
【００２１】
図２に示す第１の好ましい実施形態では、第１のレンズ素子３は、正の屈折力を有する。第１のレンズ素子３の物体側の面３１は、光軸（Ｉ）近傍に凸部３１１を有するとともに、該第１のレンズ素子３の周縁部近傍に凸部３１２を有する凸面である。第１のレンズ素子３の像側の面３２は、光軸（Ｉ）近傍に凸部３２１を有するとともに、該第１のレンズ素子３の周縁部近傍に凸部３２２を有する凸面である。
【００２２】
第２のレンズ素子４は、負の屈折力を有する。第２のレンズ素子４の物体側の面４１は、光軸（Ｉ）近傍に凸部４１１を有するとともに、該第２のレンズ素子４の周縁部近傍に凹部４１２を有する。第２のレンズ素子４の像側の面４２は、光軸（Ｉ）近傍に凹部４２１を有するとともに、該第２のレンズ素子４の周縁部近傍に凸部４２２を有する。
【００２３】
第３のレンズ素子５は、正の屈折力を有する。第３のレンズ素子５の物体側の面５１は、光軸（Ｉ）近傍に凸部５１１を有するとともに、該第３のレンズ素子５の周縁部近傍に凹部５１２を有する。第３のレンズ素子５の像側の面５２は、光軸（Ｉ）近傍に凸部５２１を有するとともに、該第３のレンズ素子５の周縁部近傍に凸部５２２を有する。
【００２４】
第４のレンズ素子６は、正の屈折力を有する。第４のレンズ素子６の物体側の面６１は、光軸（Ｉ）近傍に凹部６１１を有するとともに、該第４のレンズ素子６の周縁部近傍に凹部６１２を有する。第４のレンズ素子６の像側の面６２は、光軸（Ｉ）近傍に凸部６２１を有するとともに、該第４のレンズ素子６の周縁部近傍に凹部６２２を有する。
【００２５】
第５のレンズ素子７は、負の屈折力を有する。第５のレンズ素子７の物体側の面７１は、光軸（Ｉ）近傍に凸部７１１を有するとともに、該第５のレンズ素子７の周縁部近傍に凹部７１２を有する。第５のレンズ素子７の像側の面７２は、光軸（Ｉ）近傍に凹部７２１を有するとともに、該第５のレンズ素子７の周縁部近傍に凸部７２２を有する。
【００２６】
第１の好ましい実施形態では、撮像レンズ１０は、上記のレンズ素子３〜７の他には、屈折力を有するレンズ素子を備えていない。
【００２７】
第１の好ましい実施形態の面３１〜８１、３２〜８２に対応するいくつかの光学パラメータの値を示す表を、図３に示している。撮像レンズ１０は、全系の有効焦点距離（ＥＦＬ）が２．７２４ｍｍ、半視野（ＨＦＯＶ）が３９．３８３°、Ｆナンバーが２．０７、系の長さが４．０２５ｍｍである。系の長さとは、第１のレンズ素子３の物体側の面３１と像面１００との間の光軸（Ｉ）における距離を指す。
【００２８】
本実施形態では、物体側の面３１〜７１および像側の面３２〜７２のそれぞれは非球面であって、次の光学的関係を満たしている。
0005960854.tif 000002
ここで、
Ｙは、非球面上の任意の点と光軸（Ｉ）との間の垂直距離を表す。
Ｚは、光軸（Ｉ）から距離Ｙにある非球面上の任意の点と、非球面の光軸（Ｉ）上の頂点における接平面と、の間の垂直距離として定義される非球面の深さを表す。
Ｒは、非球面の曲率半径を表す。
Ｋは、円錐定数を表す。
ａ２ｉは、２ｉ次の非球面係数を表す。
【００２９】
第１の好ましい実施形態に対応する上記の光学的関係（１）のいくつかの光学パラメータの値を示す表を、図４に示している。
【００３０】
第１の好ましい実施形態に対応する上記の光学パラメータのいくつかの間の関係は、以下のとおりである。
Ｔ１＝０．５５６；  Ｇ１２＝０．０８０；
Ｔ２＝０．３４８；  Ｇ２３＝０．１６０；
Ｔ３＝０．４１６；  Ｇ３４＝０．１４７；
Ｔ４＝０．５４４；  Ｇ４５＝０．０７９；
Ｔ５＝０．５２５；  Ｇ５Ｆ＝０．６８９；
ＴＦ＝０．２１０；  ＧＦＰ＝０．２７２；
ＡＬＴ＝２．３８９；  Ｇａａ＝０．４６６；
ＢＦＬ＝１．１７１；  Ｔ１／Ｔ３＝１．３３７；
Ｇ３４／Ｇ２３＝０．９１９；  ＡＬＴ／Ｔ３＝５．７４３；
ＢＦＬ／Ｔ１＝２．１０６；
ＢＦＬ／（Ｇ１２＋Ｇ２３）＝４．８７９；  ＡＬＴ／Ｇ３４＝１６．２５２；
（Ｔ３＋Ｔ５）／Ｇ２３＝５．８８１；
（Ｔ４＋Ｔ５）／（Ｇ１２＋Ｇ４５）＝６．７２３；  （Ｔ４＋Ｔ５）／Ｇ３４＝７．２７２；  （Ｔ１＋Ｔ５）／Ｇ３４＝７．３５４；
（Ｔ３＋Ｔ４）／（Ｇ１２＋Ｇ４５）＝６．０３８；  ＡＬＴ／Ｇ２３＝１４．９３１；
（Ｔ１＋Ｔ５）／Ｔ２＝３．１０６；  （Ｔ３＋Ｔ４）／Ｔ２＝２．７５９；
（Ｔ３＋Ｔ５）／Ｇ３４＝６．４０１
ここで、
Ｔ１は、光軸（Ｉ）における第１のレンズ素子３の厚さを表す。
Ｔ２は、光軸（Ｉ）における第２のレンズ素子４の厚さを表す。
Ｔ３は、光軸（Ｉ）における第３のレンズ素子５の厚さを表す。
Ｔ４は、光軸（Ｉ）における第４のレンズ素子６の厚さを表す。
Ｔ５は、光軸（Ｉ）における第５のレンズ素子７の厚さを表す。
Ｇ１２は、第１のレンズ素子３と第２のレンズ素子４との間の光軸（Ｉ）における空隙長を表す。
Ｇ２３は、第２のレンズ素子４と第３のレンズ素子５との間の光軸（Ｉ）における空隙長を表す。
Ｇ３４は、第３のレンズ素子５と第４のレンズ素子６との間の光軸（Ｉ）における空隙長を表す。
Ｇ４５は、第４のレンズ素子６と第５のレンズ素子７との間の光軸（Ｉ）における空隙長を表す。
Ｇ５Ｆは、第５のレンズ素子７と光学フィルタ８との間の光軸（Ｉ）における空隙長を表す。
ＧＦＰは、光学フィルタ８と像面１００との間の光軸（Ｉ）における空隙長を表す。
ＴＦは、光軸（Ｉ）における光学フィルタ８の厚さを表す。
ＡＬＴは、第１のレンズ素子３、第２のレンズ素子４、第３のレンズ素子５、第４のレンズ素子６、第５のレンズ素子７の光軸（Ｉ）における厚さの和、すなわち、Ｔ１、Ｔ２、Ｔ３、Ｔ４、Ｔ５の和を表す。
Ｇａａは、第１のレンズ素子３、第２のレンズ素子４、第３のレンズ素子５、第４のレンズ素子６、第５のレンズ素子７の間の光軸（Ｉ）における空隙長の和、すなわち、Ｇ１２、Ｇ２３、Ｇ３４、Ｇ４５の和を表す。
ＢＦＬは、第５のレンズ素子７の像側の面７２と像面１００との間の光軸（Ｉ）における距離を表す。
【００３１】
図５（ａ）〜５（ｄ）は、第１の好ましい実施形態の縦球面収差、サジタル非点収差、タンジェンシャル非点収差、歪曲収差にそれぞれ対応するシミュレーション結果を示している。このシミュレーション結果の各々では、４７０ｎｍ、５５５ｎｍ、６５０ｎｍの波長にそれぞれ対応する曲線を示している。
【００３２】
図５（ａ）から分かるように、縦球面収差に対応する曲線の各々では、（縦軸で示す）各視野での焦点距離が±０．０１５ｍｍの範囲内にあるので、第１の好ましい実施形態では、各波長で比較的低い球面収差を実現可能である。また、各視野で曲線が相互に近接しているので、第１の好ましい実施形態では、色収差が比較的低い。
【００３３】
図５（ｂ）および５（ｃ）から分かるように、これらの曲線の各々は、±０．０６ｍｍの焦点距離の範囲内にあるので、第１の好ましい実施形態では、光学収差が比較的低い。
【００３４】
さらに、図５（ｄ）に示すように、歪曲収差に対応する曲線の各々は、±２％の範囲内にあるので、第１の好ましい実施形態は、多くの光学系の撮像品質要求を満たすことが可能である。
【００３５】
上記のことから、第１の好ましい実施形態の撮像レンズ１０は、系の長さを４．０２５ｍｍにまで縮小したとしても、依然として比較的良好な光学性能を実現可能である。
【００３６】
図６を参照する。本発明の撮像レンズ１０の第１と第２の好ましい実施形態の違いは、レンズ素子３〜７の光学データ、非球面係数、レンズパラメータの一部が変更されていることにある。
【００３７】
第２の好ましい実施形態の面３１〜８１、３２〜８２に対応するいくつかの光学パラメータの値を示す表を、図７に示している。撮像レンズ１０は、全系の焦点距離が２．６９１ｍｍ、ＨＦＯＶが３９．６５８°、Ｆナンバーが２．０５８、系の長さが３．９２５ｍｍである。
【００３８】
第２の好ましい実施形態に対応する上記の光学的関係（１）のいくつかの光学パラメータの値を示す表を、図８に示している。
【００３９】
第２の好ましい実施形態に対応する上記の光学パラメータのいくつかの間の関係は、以下のとおりである。
Ｔ１＝０．５７５；  Ｇ１２＝０．０８１；
Ｔ２＝０．２１５；  Ｇ２３＝０．０９７；
Ｔ３＝０．４１４；  Ｇ３４＝０．２２１；
Ｔ４＝０．５４２；  Ｇ４５＝０．０６２；
Ｔ５＝０．５４１；  Ｇ５Ｆ＝０．６８９；
ＴＦ＝０．２１０；  ＧＦＰ＝０．２７８；
ＡＬＴ＝２．２８７；  Ｇａａ＝０．４６１；
ＢＦＬ＝１．１７７；  Ｔ１／Ｔ３＝１．３８９；
Ｇ３４／Ｇ２３＝２．２７８；  ＡＬＴ／Ｔ３＝５．５２４；
ＢＦＬ／Ｔ１＝２．０４７；
ＢＦＬ／（Ｇ１２＋Ｇ２３）＝６．６１２；  ＡＬＴ／Ｇ３４＝１０．３４８；
（Ｔ３＋Ｔ５）／Ｇ２３＝９．８４５；
（Ｔ４＋Ｔ５）／（Ｇ１２＋Ｇ４５）＝７．５７３；
（Ｔ４＋Ｔ５）／Ｇ３４＝４．９００；  （Ｔ１＋Ｔ５）／Ｇ３４＝５．０５０；
（Ｔ３＋Ｔ４）／（Ｇ１２＋Ｇ４５）＝６．６８５；  ＡＬＴ／Ｇ２３＝２３．５７７；
（Ｔ１＋Ｔ５）／Ｔ２＝５．１９１；  （Ｔ３＋Ｔ４）／Ｔ２＝４．４４７；
（Ｔ３＋Ｔ５）／Ｇ３４＝４．３２１
【００４０】
図９（ａ）〜９（ｄ）は、第２の好ましい実施形態の縦球面収差、サジタル非点収差、タンジェンシャル非点収差、歪曲収差にそれぞれ対応するシミュレーション結果を示している。図９（ａ）〜９（ｄ）から分かるように、第２の好ましい実施形態では、比較的良好な光学性能を実現可能である。
【００４１】
図１０を参照する。本発明の撮像レンズ１０の第１と第３の好ましい実施形態の違いは、レンズ素子３〜７の光学データ、非球面係数、レンズパラメータの一部が変更されていることにある。
【００４２】
第３の好ましい実施形態の面３１〜８１、３２〜８２に対応するいくつかの光学パラメータの値を示す表を、図１１に示している。撮像レンズ１０は、全系の焦点距離が２．５４９ｍｍ、ＨＦＯＶが４１．２５２°、Ｆナンバーが２．０６７、系の長さが３．８１５ｍｍである。
【００４３】
第３の好ましい実施形態に対応する上記の光学的関係（１）のいくつかの光学パラメータの値を示す表を、図１２に示している。
【００４４】
第３の好ましい実施形態に対応する上記の光学パラメータのいくつかの間の関係は、以下のとおりである。
Ｔ１＝０．６０５；  Ｇ１２＝０．０７８；
Ｔ２＝０．２５０；  Ｇ２３＝０．１４４；
Ｔ３＝０．３３３；  Ｇ３４＝０．１７８；
Ｔ４＝０．５５５；  Ｇ４５＝０．０８０；
Ｔ５＝０．５５２；  Ｇ５Ｆ＝０．６８９；
ＴＦ＝０．２１０；  ＧＦＰ＝０．１４３；
ＡＬＴ＝２．２９５；  Ｇａａ＝０．４８０；
ＢＦＬ＝１．０４２；  Ｔ１／Ｔ３＝１．８１７；
Ｇ３４／Ｇ２３＝１．２３６；  ＡＬＴ／Ｔ３＝６．８９２；
ＢＦＬ／Ｔ１＝１．７２２；
ＢＦＬ／（Ｇ１２＋Ｇ２３）＝４．６９４；  ＡＬＴ／Ｇ３４＝１２．８９３；
（Ｔ３＋Ｔ５）／Ｇ２３＝６．１４６；
（Ｔ４＋Ｔ５）／（Ｇ１２＋Ｇ４５）＝７．００６；
（Ｔ４＋Ｔ５）／Ｇ３４＝６．２１９；  （Ｔ１＋Ｔ５）／Ｇ３４＝６．５００；
（Ｔ３＋Ｔ４）／（Ｇ１２＋Ｇ４５）＝５．６２０；  ＡＬＴ／Ｇ２３＝１５．９３８；
（Ｔ１＋Ｔ５）／Ｔ２＝４．６２８；  （Ｔ３＋Ｔ４）／Ｔ２＝３．５５２；
（Ｔ３＋Ｔ５）／Ｇ３４＝４．９７２
【００４５】
図１３（ａ）〜１３（ｄ）は、第３の好ましい実施形態の縦球面収差、サジタル非点収差、タンジェンシャル非点収差、歪曲収差にそれぞれ対応するシミュレーション結果を示している。図１３（ａ）〜１３（ｄ）から分かるように、第３の好ましい実施形態では、比較的良好な光学性能を実現可能である。
【００４６】
図１４を参照する。本発明の撮像レンズ１０の第１と第４の好ましい実施形態の違いは、第１のレンズ素子３の像側の面３２が、光軸（Ｉ）近傍に凹部３２３を有するとともに、該第１のレンズ素子３の周縁部近傍に凸部３２２を有することにある。第４のレンズ素子６の像側の面６２は、光軸（Ｉ）近傍に凸部６２１を有するとともに、該第４のレンズ素子６の周縁部近傍に凸部６２３を有する。
【００４７】
第４の好ましい実施形態の面３１〜８１、３２〜８２に対応するいくつかの光学パラメータの値を示す表を、図１５に示している。撮像レンズ１０は、全系の焦点距離が２．９８１ｍｍ、ＨＦＯＶが３７．２２０°、Ｆナンバーが２．０２３、系の長さが４．３４９ｍｍである。
【００４８】
第４の好ましい実施形態に対応する上記の光学的関係（１）のいくつかの光学パラメータの値を示す表を、図１６に示している。
【００４９】
第４の好ましい実施形態に対応する上記の光学パラメータのいくつかの間の関係は、以下のとおりである。
Ｔ１＝０．７４４；  Ｇ１２＝０．０８０；
Ｔ２＝０．２６０；  Ｇ２３＝０．２３５；
Ｔ３＝０．７０１；  Ｇ３４＝０．２１２；
Ｔ４＝０．４３１；  Ｇ４５＝０．０６８；
Ｔ５＝０．５７３；  Ｇ５Ｆ＝０．５８０；
ＴＦ＝０．２１０；  ＧＦＰ＝０．２５５；
ＡＬＴ＝２．７０９；  Ｇａａ＝０．５９５；
ＢＦＬ＝１．０４５；  Ｔ１／Ｔ３＝１．０６１；
Ｇ３４／Ｇ２３＝０．９０２；  ＡＬＴ／Ｔ３＝３．８６４；
ＢＦＬ／Ｔ１＝１．４０５；
ＢＦＬ／（Ｇ１２＋Ｇ２３）＝３．３１７；  ＡＬＴ／Ｇ３４＝１２．７７８；
（Ｔ３＋Ｔ５）／Ｇ２３＝５．４２１；
（Ｔ４＋Ｔ５）／（Ｇ１２＋Ｇ４５）＝６．７８４；  （Ｔ４＋Ｔ５）／Ｇ３４＝４．７３６；  （Ｔ１＋Ｔ５）／Ｇ３４＝６．２１２；
（Ｔ３＋Ｔ４）／（Ｇ１２＋Ｇ４５）＝７．６４９；  ＡＬＴ／Ｇ２３＝１１．５２８；
（Ｔ１＋Ｔ５）／Ｔ２＝５．０６５；  （Ｔ３＋Ｔ４）／Ｔ２＝４．３５４；
（Ｔ３＋Ｔ５）／Ｇ３４＝６．００９
【００５０】
図１７（ａ）〜１７（ｄ）は、第４の好ましい実施形態の縦球面収差、サジタル非点収差、タンジェンシャル非点収差、歪曲収差にそれぞれ対応するシミュレーション結果を示している。図１７（ａ）〜１７（ｄ）から分かるように、第４の好ましい実施形態では、比較的良好な光学性能を実現可能である。
【００５１】
図１８を参照する。本発明の撮像レンズ１０の第１と第５の好ましい実施形態の違いは、第１のレンズ素子３の像側の面３２が、光軸（Ｉ）近傍に凹部３２３を有するとともに、該第１のレンズ素子３の周縁部近傍に凸部３２２を有することにある。第３のレンズ素子５の物体側の面５１は、光軸（Ｉ）近傍に凹部５１３を有するとともに、該第３のレンズ素子５の周縁部近傍に凹部５１２を有する。第４のレンズ素子６は、負の屈折力を有し、第５のレンズ素子７は、正の屈折力を有する。
【００５２】
第５の好ましい実施形態の面３１〜８１、３２〜８２に対応するいくつかの光学パラメータの値を示す表を、図１９に示している。撮像レンズ１０は、全系の焦点距離が３．３９０ｍｍ、ＨＦＯＶが３９．８６５°、Ｆナンバーが１．９９９、系の長さが４．５５９ｍｍである。
【００５３】
第５の好ましい実施形態に対応する上記の光学的関係（１）のいくつかの光学パラメータの値を示す表を、図２０に示している。
【００５４】
第５の好ましい実施形態に対応する上記の光学パラメータのいくつかの間の関係は、以下のとおりである。
Ｔ１＝０．５５２；  Ｇ１２＝０．１２９；
Ｔ２＝０．２６０；  Ｇ２３＝０．２１５；
Ｔ３＝０．４８５；  Ｇ３４＝０．３５７；
Ｔ４＝０．３００；  Ｇ４５＝０．０７８；
Ｔ５＝０．９４２；  Ｇ５Ｆ＝０．５００；
ＴＦ＝０．２１０；  ＧＦＰ＝０．５３２；
ＡＬＴ＝２．５３９；  Ｇａａ＝０．７７９；
ＢＦＬ＝１．２４２；  Ｔ１／Ｔ３＝１．１３７；
Ｇ３４／Ｇ２３＝１．６５７；  ＡＬＴ／Ｔ３＝５．２３０；
ＢＦＬ／Ｔ１＝２．２４９；
ＢＦＬ／（Ｇ１２＋Ｇ２３）＝３．６０７；  ＡＬＴ／Ｇ３４＝７．１１８；
（Ｔ３＋Ｔ５）／Ｇ２３＝６．６２９；
（Ｔ４＋Ｔ５）／（Ｇ１２＋Ｇ４５）＝６．００６；
（Ｔ４＋Ｔ５）／Ｇ３４＝３．４８１；  （Ｔ１＋Ｔ５）／Ｇ３４＝４．１８７；
（Ｔ３＋Ｔ４）／（Ｇ１２＋Ｇ４５）＝３．７９９；  ＡＬＴ／Ｇ２３＝１１．７９５；
（Ｔ１＋Ｔ５）／Ｔ２＝５．７４５；  （Ｔ３＋Ｔ４）／Ｔ２＝３．０２１；
（Ｔ３＋Ｔ５）／Ｇ３４＝４．００１
【００５５】
図２１（ａ）〜２１（ｄ）は、第５の好ましい実施形態の縦球面収差、サジタル非点収差、タンジェンシャル非点収差、歪曲収差にそれぞれ対応するシミュレーション結果を示している。図２１（ａ）〜２１（ｄ）から分かるように、第５の好ましい実施形態では、比較的良好な光学性能を実現可能である。
【００５６】
図２２は、本発明に係る撮像レンズ１０の第６の好ましい実施形態を示している。第１と第６の好ましい実施形態の違いは、第１のレンズ素子３の像側の面３２が、光軸（Ｉ）近傍に凹部３２３を有するとともに、該第１のレンズ素子３の周縁部近傍に凸部３２２を有することにある。第４のレンズ素子６は、負の屈折力を有する。第４のレンズ素子６の像側の面６２は、光軸（Ｉ）近傍に凸部６２１を有するとともに、該第４のレンズ素子６の周縁部近傍に凸部６２３を有する。第５のレンズ素子７は、正の屈折力を有する。
【００５７】
第６の好ましい実施形態の面３１〜８１、３２〜８２に対応するいくつかの光学パラメータの値を示す表を、図２３に示している。撮像レンズ１０は、全系の焦点距離が３．４１２ｍｍ、ＨＦＯＶが３９．９３８°、Ｆナンバーが２．００１、系の長さが４．７２９ｍｍである。
【００５８】
第６の好ましい実施形態に対応する上記の光学的関係（１）のいくつかの光学パラメータの値を示す表を、図２４に示している。
【００５９】
第６の好ましい実施形態に対応する上記の光学パラメータのいくつかの間の関係は、以下のとおりである。
Ｔ１＝０．７１９；  Ｇ１２＝０．０９７；
Ｔ２＝０．２３１；  Ｇ２３＝０．２１６；
Ｔ３＝０．５１２；  Ｇ３４＝０．３０１；
Ｔ４＝０．２９５；  Ｇ４５＝０．０７６；
Ｔ５＝１．０３７；  Ｇ５Ｆ＝０．５００；
ＴＦ＝０．２１０；  ＧＦＰ＝０．５３３；
ＡＬＴ＝２．７９５；  Ｇａａ＝０．６９２；
ＢＦＬ＝１．２４３；  Ｔ１／Ｔ３＝１．４０５；
Ｇ３４／Ｇ２３＝１．３９３；  ＡＬＴ／Ｔ３＝５．４６０；
ＢＦＬ／Ｔ１＝１．７２８；
ＢＦＬ／（Ｇ１２＋Ｇ２３）＝３．９６１；  ＡＬＴ／Ｇ３４＝９．２７４；
（Ｔ３＋Ｔ５）／Ｇ２３＝７．１６０；
（Ｔ４＋Ｔ５）／（Ｇ１２＋Ｇ４５）＝７．６６１；
（Ｔ４＋Ｔ５）／Ｇ３４＝４．４２１；  （Ｔ１＋Ｔ５）／Ｇ３４＝５．８２８；
（Ｔ３＋Ｔ４）／（Ｇ１２＋Ｇ４５）＝４．６４１；  ＡＬＴ／Ｇ２３＝１２．９１９；
（Ｔ１＋Ｔ５）／Ｔ２＝７．５９４；  （Ｔ３＋Ｔ４）／Ｔ２＝３．４９０；
（Ｔ３＋Ｔ５）／Ｇ３４＝５．１４０
【００６０】
図２５（ａ）〜２５（ｄ）は、第６の好ましい実施形態の縦球面収差、サジタル非点収差、タンジェンシャル非点収差、歪曲収差にそれぞれ対応するシミュレーション結果を示している。図２５（ａ）〜２５（ｄ）から分かるように、第６の好ましい実施形態では、比較的良好な光学性能を実現可能である。
【００６１】
図２６を参照する。本発明の撮像レンズ１０の第１と第７の好ましい実施形態の違いは、第１のレンズ素子３の像側の面３２が、光軸（Ｉ）近傍に凹部３２３を有するとともに、該第１のレンズ素子３の周縁部近傍に凸部３２２を有することにある。第３のレンズ素子５の物体側の面５１は、光軸（Ｉ）近傍に凹部５１３を有するとともに、該第３のレンズ素子５の周縁部近傍に凹部５１２を有する。第３のレンズ素子５の像側の面５２は、光軸（Ｉ）近傍に凸部５２１を有するとともに、該第３のレンズ素子５の周縁部近傍に凹部５２３を有する。第４のレンズ素子は、負の屈折力を有する。第４のレンズ素子６の像側の面６２は、光軸（Ｉ）近傍に凸部６２１を有するとともに、該第４のレンズ素子６の周縁部近傍に凸部６２３を有する。第５のレンズ素子７は、正の屈折力を有する。
【００６２】
第７の好ましい実施形態の面３１〜８１、３２〜８２に対応するいくつかの光学パラメータの値を示す表を、図２７に示している。撮像レンズ１０は、全系の焦点距離が３．３７８ｍｍ、ＨＦＯＶが４０．２０７°、Ｆナンバーが２．００１、系の長さが４．６２８ｍｍである。
【００６３】
第７の好ましい実施形態に対応する上記の光学的関係（１）のいくつかの光学パラメータの値を示す表を、図２８に示している。
【００６４】
第７の好ましい実施形態に対応する上記の光学パラメータのいくつかの間の関係は、以下のとおりである。
Ｔ１＝０．６３６；  Ｇ１２＝０．１２０；
Ｔ２＝０．２３６；  Ｇ２３＝０．２１３；
Ｔ３＝０．５１０；  Ｇ３４＝０．３３４；
Ｔ４＝０．２９３；  Ｇ４５＝０．０７４；
Ｔ５＝０．９６６；  Ｇ５Ｆ＝０．５００；
ＴＦ＝０．２１０；  ＧＦＰ＝０．５３５；
ＡＬＴ＝２．６４１；  Ｇａａ＝０．７４１；
ＢＦＬ＝１．２４５；  Ｔ１／Ｔ３＝１．２４７；
Ｇ３４／Ｇ２３＝１．５６９；  ＡＬＴ／Ｔ３＝５．１７８；
ＢＦＬ／Ｔ１＝１．９５６；
ＢＦＬ／（Ｇ１２＋Ｇ２３）＝３．７４３；  ＡＬＴ／Ｇ３４＝７．９０３；
（Ｔ３＋Ｔ５）／Ｇ２３＝６．９２９；
（Ｔ４＋Ｔ５）／（Ｇ１２＋Ｇ４５）＝６．４８９；
（Ｔ４＋Ｔ５）／Ｇ３４＝３．７６７；  （Ｔ１＋Ｔ５）／Ｇ３４＝４．７９３；
（Ｔ３＋Ｔ４）／（Ｇ１２＋Ｇ４５）＝４．１４１；  ＡＬＴ／Ｇ２３＝１２．４００；
（Ｔ１＋Ｔ５）／Ｔ２＝６．７８９；  （Ｔ３＋Ｔ４）／Ｔ２＝３．４０５；
（Ｔ３＋Ｔ５）／Ｇ３４＝４．４１６
【００６５】
図２９（ａ）〜２９（ｄ）は、第７の好ましい実施形態の縦球面収差、サジタル非点収差、タンジェンシャル非点収差、歪曲収差にそれぞれ対応するシミュレーション結果を示している。図２９（ａ）〜２９（ｄ）から分かるように、第７の好ましい実施形態では、比較的良好な光学性能を実現可能である。
【００６６】
図３０を参照する。本発明の撮像レンズ１０の第１と第８の好ましい実施形態の違いは、第１のレンズ素子３の像側の面３２が、光軸（Ｉ）近傍に凹部３２３を有するとともに、該第１のレンズ素子３の周縁部近傍に凸部３２２を有することにある。第４のレンズ素子６は、負の屈折力を有する。第４のレンズ素子６の像側の面６２は、光軸（Ｉ）近傍に凸部６２１を有するとともに、該第４のレンズ素子６の周縁部近傍に凸部６２３を有する。第５のレンズ素子７は、正の屈折力を有する。第５のレンズ素子７の物体側の面７１は、光軸（Ｉ）近傍に凸部７１１を有するとともに、該第５のレンズ素子７の周縁部近傍に凸部７１３を有し、さらに凸部７１１と７１３との間に配された凹部７１４を有する。
【００６７】
第８の好ましい実施形態の面３１〜８１、３２〜８２に対応するいくつかの光学パラメータの値を示す表を、図３１に示している。撮像レンズ１０は、全系の焦点距離が３．６６１ｍｍ、ＨＦＯＶが３７．９５７°、Ｆナンバーが１．９９５、系の長さが５．１１０ｍｍである。
【００６８】
第８の好ましい実施形態に対応する上記の光学的関係（１）のいくつかの光学パラメータの値を示す表を、図３２に示している。
【００６９】
第８の好ましい実施形態に対応する上記の光学パラメータのいくつかの間の関係は、以下のとおりである。
Ｔ１＝０．５７６；  Ｇ１２＝０．１７１；
Ｔ２＝０．２３８；  Ｇ２３＝０．２６４；
Ｔ３＝０．６０３；  Ｇ３４＝０．３９４；
Ｔ４＝０．２９９；  Ｇ４５＝０．０７９；
Ｔ５＝１．２４３；  Ｇ５Ｆ＝０．５００；
ＴＦ＝０．２１０；  ＧＦＰ＝０．５３３；
ＡＬＴ＝２．９５９；  Ｇａａ＝０．９０９；
ＢＦＬ＝１．２４３；  Ｔ１／Ｔ３＝０．９５６；
Ｇ３４／Ｇ２３＝１．４９２；  ＡＬＴ／Ｔ３＝４．９０９；
ＢＦＬ／Ｔ１＝２．１５９；
ＢＦＬ／（Ｇ１２＋Ｇ２３）＝２．８５６；  ＡＬＴ／Ｇ３４＝７．５０６；
（Ｔ３＋Ｔ５）／Ｇ２３＝６．９８６；
（Ｔ４＋Ｔ５）／（Ｇ１２＋Ｇ４５）＝６．１６２；
（Ｔ４＋Ｔ５）／Ｇ３４＝３．９１２；  （Ｔ１＋Ｔ５）／Ｇ３４＝４．６１５；
（Ｔ３＋Ｔ４）／（Ｇ１２＋Ｇ４５）＝３．６０３；  ＡＬＴ／Ｇ２３＝１１．１９８；
（Ｔ１＋Ｔ５）／Ｔ２＝７．６４２；  （Ｔ３＋Ｔ４）／Ｔ２＝３．７８８；
（Ｔ３＋Ｔ５）／Ｇ３４＝４．６８３
【００７０】
図３３（ａ）〜３３（ｄ）は、第８の好ましい実施形態の縦球面収差、サジタル非点収差、タンジェンシャル非点収差、歪曲収差にそれぞれ対応するシミュレーション結果を示している。図３３（ａ）〜３３（ｄ）から分かるように、第８の好ましい実施形態では、比較的良好な光学性能を実現可能である。
【００７１】
比較のために、８通りの好ましい実施形態に対応する上記の光学パラメータのいくつかの間の上記関係を示す表を、図３４および３５に示している。本発明に係る撮像レンズ１０の光学パラメータの各々が以下の光学的関係を満たしている場合には、系の長さを縮小したとしても、依然として光学性能は比較的良好である。
【００７２】
（１）Ｔ１／Ｔ３≧０．９３：第１のレンズ素子３は正の屈折力を有するので、第１のレンズ素子３は比較的厚くなり得る。第３のレンズ素子５の厚さは特に制限されないので、Ｔ１／Ｔ３は大きく設計される傾向にあり、０．９３以上であるように設計されることが推奨される。０．９３≦Ｔ１／Ｔ３≦２．００であることが好ましい。
【００７３】
（２）０．９０≦Ｇ３４／Ｇ２３≦２．４０：Ｇ３４またはＧ２３はどちらも、系の長さの縮小化を進めるための適切な範囲内であるように設計されなければならない。上記の関係を満たしている場合には、より良い構成を実現できる。
【００７４】
（３）ＡＬＴ／Ｔ３≦７．００：Ｔ３を縮小できる比率と比較して、ＡＬＴを縮小できる比率は相対的に大きいので、ＡＬＴ／Ｔ３は７．００よりも小さく設計されることが推奨される。３．５０≦ＡＬＴ／Ｔ３≦７．００であることが好ましい。
【００７５】
（４）ＢＦＬ／Ｔ１≦３．２０：ＢＦＬは、光学フィルタ８およびその他の要素を収容するのに十分であるように設計されなければならないので、ＢＦＬを縮小できる比率は比較的小さい。第１のレンズ素子３は正の屈折力を有するので、第１のレンズ素子３は比較的厚くなり得る。ＢＦＬと比較して、Ｔ１を縮小できる比率は相対的に小さい。よって、ＢＦＬ／Ｔ１は３．２０以下であるように設計されることが推奨される。１．２０≦ＢＦＬ／Ｔ１≦３．２０であることが好ましい。より好ましくは、１．２０≦ＢＦＬ／Ｔ１≦２．５０である。
【００７６】
（５）ＢＦＬ／（Ｇ１２＋Ｇ２３）≧３．４０：ＢＦＬは、光学フィルタ８およびその他の要素を収容するのに十分であるように設計されなければならないので、ＢＦＬを縮小できる比率は比較的小さい。３．４０≦ＢＦＬ／（Ｇ１２＋Ｇ２３）≦６．７０であることが好ましい。
【００７７】
（６）ＡＬＴ／Ｇ３４≧７．００：撮像品質ならびに光路を考慮すると、この関係を満たしている場合に、より良い構成を得ることができる。７．００≦ＡＬＴ／Ｇ３４≦１８．００であることが好ましい。
【００７８】
（７）（Ｔ３＋Ｔ５）／Ｇ２３≧４．９０，（Ｔ３＋Ｔ５）／Ｇ３４≧３．８０：第５のレンズ素子７は光学有効径が比較的大きいので、Ｔ５を縮小できる比率は比較的小さい。（Ｔ３＋Ｔ５）／Ｇ２３は４．９０以上であるように設計されることが推奨され、（Ｔ３＋Ｔ５）／Ｇ３４は３．８０以上であるように設計されることが推奨される。４．９０≦（Ｔ３＋Ｔ５）／Ｇ２３≦１０．５０、かつ３．８０≦（Ｔ３＋Ｔ５）／Ｇ３４≦６．５０であることが好ましい。
【００７９】
（８）４．００≦（Ｔ４＋Ｔ５）／（Ｇ１２＋Ｇ４５）≦７．７０：この関係を満たしている場合には、より良い構成ならびに撮像品質を実現できるとともに、撮像レンズ１０の系の長さを縮小できる。５．５０≦（Ｔ４＋Ｔ５）／（Ｇ１２＋Ｇ４５）≦７．７０であることが好ましい。
【００８０】
（９）（Ｔ４＋Ｔ５）／Ｇ３４≧３．２５：第４と第５のレンズ素子６、７のそれぞれは光学有効径が比較的大きいので、Ｔ４、Ｔ５を縮小できる比率は比較的小さい。よって、（Ｔ４＋Ｔ５）／Ｇ３４は３．２５以上であるように設計されることが推奨される。３．２５≦（Ｔ４＋Ｔ５）／Ｇ３４≦８．００であることが好ましい。
【００８１】
（１０）（Ｔ１＋Ｔ５）／Ｇ３４≧３．７０，（Ｔ１＋Ｔ５）／Ｔ２≧３．００：第１のレンズ素子３は正の屈折力を有し、第５のレンズ素子７は光学有効径が比較的大きいので、Ｔ１、Ｔ５を縮小できる比率は比較的小さい。これらの関係を満たしている場合には、より良い構成ならびに撮像品質を実現できるとともに、撮像レンズ１０の系の長さを縮小できる。３．７０≦（Ｔ１＋Ｔ５）／Ｇ３４≦８．００、３．００≦（Ｔ１＋Ｔ５）／Ｔ２≦８．００であることが好ましい。
【００８２】
（１１）（Ｔ３＋Ｔ４）／（Ｇ１２＋Ｇ４５）≧３．００：この関係を満たしている場合には、より良い構成ならびに撮像品質を実現できるとともに、撮像レンズ１０の系の長さを縮小できる。３．００≦（Ｔ３＋Ｔ４）／（Ｇ１２＋Ｇ４５）≦８．００であることが好ましい。
【００８３】
（１２）ＡＬＴ／Ｇ２３≧１０．５５：撮像品質ならびに光路を考慮すると、上記の関係を満たしている場合に、より良い構成を得ることができる。１０．５５≦ＡＬＴ／Ｇ２３≦２５．００であることが好ましい。
【００８４】
（１３）（Ｔ３＋Ｔ４）／Ｔ２≧２．７５：第２のレンズ素子４は光学有効径が比較的小さいので、Ｔ２を縮小できる比率は比較的大きい。（Ｔ３＋Ｔ４）／Ｔ２は２．７５以上であるように設計されることが推奨される。２．７５≦（Ｔ３＋Ｔ４）／Ｔ２≦５．５０であることが好ましい。
【００８５】
要約すると、本発明に係る撮像レンズ１０の作用および効果は、以下のように説明される。
１．第１のレンズ素子３が正の屈折力を有することは、集光のために好ましく、これによって撮像レンズ１０の長さを縮小できる。また、凸部４１１、凹部４１２、凹部５１２、凹部６１１、凸部６２１、凸部７１１、凹部７２１、凸部７２２によって、像の光学収差を補正でき、これにより、撮像レンズ１０の撮像品質が確保される。第５のレンズ素子７がプラスチック材料で構成されていることによって、撮像レンズ１０の重量およびコストを削減できる。
２．関連する光学パラメータの設計によって、球面収差などの光学収差を低減でき、またはさらに除去さえもできる。また、レンズ素子３〜７の面設計および配置によって、系の長さを縮小した場合でも、依然として光学収差を低減またはさらに除去もでき、その結果、比較的良好な光学性能が得られる。
３．経済的メリットを伴う薄型化された関連製品の開発を促すために、前述の８通りの好ましい実施形態によって、本発明の系の長さを５．２ｍｍ未満にまで縮小できることが分かっている。
【００８６】
撮像レンズ１０の第１の適用例を図３６に示しており、この例では、撮像レンズ１０は、電子機器１（携帯電話機などであるが、これに限定されない）のハウジング１１内に配置されて、該電子機器１の撮像モジュール１２の一部をなしている。撮像モジュール１２は、撮像レンズ１０が配置される鏡筒２１と、鏡筒２１が配置されるホルダユニット１２０と、像面１００（図２を参照）に配置される撮像センサ１３０と、を有している。
【００８７】
ホルダユニット１２０は、鏡筒２１が配置される第１のホルダ部１２１と、第１のホルダ部１２１と撮像センサ１３０との間に介在させる部分を有する第２のホルダ部１２２と、を含んでいる。鏡筒２１、およびホルダユニット１２０の第１のホルダ部１２１は、撮像レンズ１０の光軸（Ｉ）と一致する軸（ＩＩ）に沿って延在する。
【００８８】
撮像レンズ１０の第２の適用例を図３７に示している。第１と第２の適用例の違いは、第２の適用例では、ホルダユニット１２０が，ボイスコイルモータ（ＶＣＭ）として構成されていることであり、第１のホルダ部１２１は、鏡筒２１が配置される内側部分１２３と、内側部分１２３を取り囲む外側部分１２４と、内側部分１２３と外側部分１２４との間に介在させるコイル１２５と、コイル１２５の外側と外側部分１２４の内側との間に配置される磁性部品１２６と、を含んでいる。
【００８９】
内側部分１２３と鏡筒２１は、その中の撮像レンズ１０と共に、撮像レンズ１０の光軸（Ｉ）と一致する軸（ＩＩＩ）に沿って、撮像センサ１３０に対して動くことができる。撮像レンズ１０の光学フィルタ８は、外側部分１２４に当接するように配置された第２のホルダ部１２２に配置される。第２の適用例における電子機器１の他の構成要素の構成および配置は、第１の適用例のものと同じであり、従って、簡潔にするため、以下では説明しない。
【００９０】
本発明の撮像レンズ１０によって、適用例のそれぞれにおける電子機器１は、良好な光学性能および撮像性能を有しつつ、比較的縮小された全厚となるように構成でき、これによって、材料のコストが削減され、また、製品の小型化要求が満たされる。
【００９１】
本発明について、最も現実的かつ好ましい実施形態であると考えられるものに関して説明したが、当然のことながら、本発明は、開示された実施形態に限定されるものではなく、最も広い解釈の趣旨および範囲に含まれる種々の構成を包括し、かかる変形および均等な構成のすべてを網羅するものとする。
【図１】
0005960854.tif 000003
【図２】
0005960854.tif 000004
【図３】
0005960854.tif 000005
【図４】
0005960854.tif 000006
【図５】
0005960854.tif 000007
【図６】
0005960854.tif 000008
【図７】
0005960854.tif 000009
【図８】
0005960854.tif 000010
【図９】
0005960854.tif 000011
【図１０】
0005960854.tif 000012
【図１１】
0005960854.tif 000013
【図１２】
0005960854.tif 000014
【図１３】
0005960854.tif 000015
【図１４】
0005960854.tif 000016
【図１５】
0005960854.tif 000017
【図１６】
0005960854.tif 000018
【図１７】
0005960854.tif 000019
【図１８】
0005960854.tif 000020
【図１９】
0005960854.tif 000021
【図２０】
0005960854.tif 000022
【図２１】
0005960854.tif 000023
【図２２】
0005960854.tif 000024
【図２３】
0005960854.tif 000025
【図２４】
0005960854.tif 000026
【図２５】
0005960854.tif 000027
【図２６】
0005960854.tif 000028
【図２７】
0005960854.tif 000029
【図２８】
0005960854.tif 000030
【図２９】
0005960854.tif 000031
【図３０】
0005960854.tif 000032
【図３１】
0005960854.tif 000033
【図３２】
0005960854.tif 000034
【図３３】
0005960854.tif 000035
【図３４】
0005960854.tif 000036
【図３５】
0005960854.tif 000037
【図３６】
0005960854.tif 000038
【図３７】
0005960854.tif 000039